(57)【要約】【課題】  昇圧から降圧までの幅広い出力電圧範囲で安定な誤差増幅回路を実現した昇降圧スイッチングレギュレータ制御回路及び昇降圧スイッチングレギュレータを提供する。【解決手段】  本発明では、誤差増幅回路に設けられている位相補償回路を複数とし、入出力条件を検出して最適な位相補償回路に切り替えるための選択回路を設ける構成とする。また、上記複数の位相補償回路を昇降圧スイッチングレギュレータ制御回路の外部で構成し、用途に応じて適当な位相補償定数を設定できる構成とするた。【選択図】  図１
2005110468.tif 000002
【特許請求の範囲】
【請求項１】
入力電圧が所定電圧より低い場合には昇圧し、高い場合には降圧して出力電圧を出力する、昇降圧スイッチングレギュレータを制御する昇降圧スイッチングレギュレータ制御回路において、
少なくとも出力電圧を直接的または間接的に基準電圧と比較し、前記出力電圧を一定に保つための情報を出力する誤差増幅回路と、前記誤差増幅回路の動作を安定に保つための複数の位相補償回路と、前記複数の位相補償回路のうちの一つまたは複数を選択する選択回路とを設け、
前記選択回路は前記昇圧時と前記降圧時とで前記複数の位相補償回路を切り替えることを特徴とする昇降圧スイッチングレギュレータ制御回路。
【請求項２】
入力電圧が所定電圧より低い場合には昇圧し、高い場合には降圧して出力電圧を出力する、昇降圧スイッチングレギュレータを制御する昇降圧スイッチングレギュレータ制御回路において、
少なくとも出力電圧を直接的または間接的に基準電圧と比較し、前記出力電圧を一定に保つための情報を出力する誤差増幅回路と、前記誤差増幅回路の動作を安定に保つための複数の位相補償回路と、前記複数の位相補償回路のうちの一つまたは複数を選択する選択回路とを設け、
前記選択回路は入力電圧値を検出して前記複数の位相補償回路を切り替えることを特徴とする昇降圧スイッチングレギュレータ制御回路。
【請求項３】
少なくとも前記昇降圧スイッチングレギュレータ制御回路、及び、前記誤差増幅回路がユニットを構成するとともに、前記複数の位相補償回路のうちの一つまたは複数を前記ユニットの外部に設けることができるようにしたことを特徴とする請求項１又は２記載の昇降圧スイッチングレギュレータ制御回路。
【請求項４】
入力電圧が所定電圧より低い場合には昇圧し、高い場合には降圧して出力電圧を出力する昇降圧スイッチングレギュレータにおいて、前記出力電圧を制御するための昇降圧スイッチングレギュレータ制御回路として請求項１から３のいずれかに記載の昇降圧スイッチングレギュレータ制御回路を設けたことを特徴とする昇降圧スイッチングレギュレータ。
【発明の詳細な説明】
【技術分野】
【０００１】
この発明は、昇降圧スイッチングレギュレータの昇圧時、降圧時の動作を入力電圧、出力電圧、出力電流の関係に応じて、容易に昇圧時、降圧時の動作切り換えが可能であるスイッチングレギュレータ制御回路、及び、スイッチングレギュレータに関する。
【背景技術】
【０００２】
従来の昇降圧スイッチングレギュレータ回路例としては、図２に示すような回路が知られている。スイッチングレギュレータ制御回路１、降圧用スイッチ２、昇圧用スイッチ６、ダイオード７、ダイオード４、コイル３が接続されている。この回路は、スイッチ２、ダイオード７、コイル７の部分をみると従来の降圧スイッチングレギュレータ回路となる。また、コイル３、スイッチ６、ダイオード４の部分は従来の昇圧スイッチングレギュレータと同様の型となっていることがわかる。スイッチングレギュレータ回路１はＶｏｕｔ端子の電圧を検出し、入力電圧、出力電圧、出力電流の関係によって昇圧動作が必要な時は、スイッチングレギュレータ制御回路１によって昇圧用スイッチ６をオン、オフし制御することによりＶｏｕｔ端子電圧レベルを所望の電圧レベルまで昇圧する。この時、降圧用スイッチ２は常時オンしている。一方、入力電圧、出力電圧、出力電流の関係によって降圧動作が必要な時は、スイッチングレギュレータ制御回路１によって降圧用スイッチ２をオン、オフし制御することによりＶｏｕｔ端子電圧レベルを所望の電圧レベルまで降圧する。この時、降圧時昇圧用スイッチ６は常時オフしている。
【０００３】
次に、図２のスイッチングレギュレータ制御回路１の動作を図３にて説明する。出力電圧Ｖｏｕｔは分割抵抗１１と分割抵抗１２とで抵抗分割されＶａとして誤差増幅回路１３に入力される。また、基準電圧回路１０はＶｒｅｆとして誤差増幅回路１３に入力され、抵抗分割された電圧Ｖａとの差が増幅され、出力電圧レベルＶｅｒｒとして出力される。      
【０００４】
次に、発振回路１４は三角波Ｖｏｓｃを出力し、降圧用比較回路１６とレベルシフト回路１５に入力される。レベルシフト回路１５に入力された三角波Ｖｏｓｃは、Ｖｏｓｃに同期した電圧レベルが異なるＶｏｓｃ１として出力され、昇圧比較回路１７へ入力される。誤差増幅回路Ｖｅｒｒの電圧レベルがＶｏｓｃと交わる電圧レベルであれば、降圧用比較回路から矩形波ＶｃｏｍｐＤが出力され図２に示す降圧用スイッチ２を制御し降圧動作をおこなう。このとき昇圧用スイッチ６はオフである。また、誤差増幅回路Ｖｅｒｒの電圧レベルがＶｏｓｃ１と交わる電圧レベルであれば、昇圧用比較回路から矩形波ＶｃｏｍｐＵが出力され図２に示す昇圧用スイッチ６を制御し降圧動作をおこなう。このとき、降圧用スイッチはオンである。誤差増幅回路１３は位相補償回路３８によって安定に保たれている（例えば、特許文献１参照。）。
【特許文献１】特開２００２−２２１９２０号公報
【発明の開示】
【発明が解決しようとする課題】
【０００５】
しかしながら、従来の昇降圧スイッチングレギュレータは、誤差増幅回路を安定させるための位相補償回路が一つであるために、さまざまな入出力条件を想定した汎用品では、
昇圧から降圧までの広い出力電圧範囲全域で誤差増幅回路を安定させるための位相補償回路の定数を設定することが困難であるという課題を有していた。また、昇降圧スイッチングレギュレータの用途によっては、昇圧と降圧とで設定したい位相補償定数が異なる場合があり、使用条件が制限されてしまうという課題を有していた。本発明の目的は従来のこのような課題を解決するために考案されたものであり、昇圧から降圧までの幅広い出力電圧範囲で安定な誤差増幅回路を実現した昇降圧スイッチングレギュレータ制御回路及び昇降圧スイッチングレギュレータを提供するものである。
【課題を解決するための手段】
【０００６】
上記課題を解決するために、本発明の昇降圧スイッチングレギュレータ制御回路及び昇降圧スイッチングレギュレータでは誤差増幅回路に設けられている位相補償回路を複数とし、入出力条件を検出して最適な位相補償回路に切り替えるための選択回路を設けた構成とした。また、上記複数の位相補償回路を昇降圧スイッチングレギュレータ制御回路の外部で構成し、用途に応じて適当な位相補償定数を設定できる構成とした。
【発明の効果】
【０００７】
本発明の昇降圧スイッチングレギュレータ制御回路及び昇降圧スイッチングレギュレータでは誤差増幅回路に設けられている位相補償回路を複数とし、入出力条件を検出して最適な位相補償回路に切り替えるための選択回路を設けた構成とし、また、上記複数の位相補償回路を昇降圧スイッチングレギュレータ制御回路の外部で構成し、用途に応じて適当な位相補償定数を設定できる構成としたことにより、従来の昇降圧スイッチングレギュレータの課題を解決し、昇圧から降圧までの幅広い出力電圧範囲で安定な誤差増幅回路を実現した昇降圧スイッチングレギュレータ制御回路及び昇降圧スイッチングレギュレータを提供できる効果を有する。
【発明を実施するための最良の形態】
【０００８】
本発明の昇降圧スイッチングレギュレータ制御回路及び昇降圧スイッチングレギュレータでは上記手段により、従来よりも位相補償の選択肢が広がった。例えば昇圧と降圧とで位相補償回路を切り替えることで昇圧から降圧までの幅広い出力電圧範囲で安定な誤差増幅回路を実現でき、昇圧から降圧までの幅広い出力電圧範囲で安定な誤差増幅回路を実現した昇降圧スイッチングレギュレータ制御回路及び昇降圧スイッチングレギュレータを提供できる。
【実施例１】
【０００９】
以下に、本発明を図面に基づいて説明する。図１は本発明のスイッチングレギュレータ制御回路の実施例を示す回路ブロック図である。図１においては、分割抵抗１１と分割抵抗１２と誤差増幅回路１３と基準電圧回路１０と発振回路１４と降圧用比較回路１６とレベルシフト回路１５と昇圧比較回路１７と位相補償回路１８と位相補償回路１９と選択回路２０とで構成され、さらに、選択回路２０は電圧検出回路２１とスイッチ回路２２とで構成されている。図1のスイッチングレギュレータ制御回路は図２の中のスイッチングレギュレータ制御回路１に置き換えて、昇降圧スイッチングレギュレータ回路として動作させることができる。
【００１０】
図１のスイッチングレギュレータ制御回路の動作を説明する。出力電圧Ｖｏｕｔは分割抵抗１１と分割抵抗１２とで抵抗分割されＶａとして誤差増幅回路１３に入力される。また、基準電圧回路１０はＶｒｅｆとして誤差増幅回路１３に入力され、抵抗分割された電圧Ｖａとの差が増幅され、出力電圧レベルＶｅｒｒとして出力される。次に、発振回路１４は三角波Ｖｏｓｃを出力し、降圧用比較回路１６とレベルシフト回路１５に入力される。レベルシフト回路１５に入力された三角波Ｖｏｓｃは、Ｖｏｓｃに同期した電圧レベルが異なるＶｏｓｃ１として出力され、昇圧比較回路１７へ入力される。誤差増幅回路Ｖｅｒｒの電圧レベルがＶｏｓｃと交わる電圧レベルであれば、降圧用比較回路から矩形波ＶｃｏｍｐＤが出力され図２に示す降圧用スイッチ２を制御し降圧動作をおこなう。このとき昇圧用スイッチ６はオフである。また、誤差増幅回路Ｖｅｒｒの電圧レベルがＶｏｓｃ１と交わる電圧レベルであれば、昇圧用比較回路から矩形波ＶｃｏｍｐＵが出力され図２に示す昇圧用スイッチ６を制御し降圧動作をおこなう。このとき、降圧用スイッチはオンである。
【００１１】
ここで、誤差増幅回路１３は位相補償回路１８と位相補償回路１９によって安定に保たれている。電圧検出回路２１はＶｅｒｒの電圧レベルを検出しており、スイッチングレギュレータ制御回路が昇圧しているか降圧しているかを判定できるようになっている。この電圧検出回路２１の出力により、スイッチ回路２２を切り替えて昇圧の場合には位相補償回路１８を、また、降圧の場合には位相補償回路１９を使用するように選択回路２０が動作する。したがって、位相補償回路１８は昇圧専用、一方位相補償回路１９は降圧専用の定数を設定することができるため、本発明のスイッチングレギュレータ制御回路は従来よりもより広い入出力範囲でスイッチングレギュレータを安定に動作させることができるようになった。
【実施例２】
【００１２】
図４は本発明のスイッチングレギュレータ制御回路の他の実施例を示す回路ブロック図である。電圧検出回路２１の代わりに任意の入力電圧Vinを検出できる電圧検出回路４１が設けられている。その他は図１と同様である。図1のスイッチングレギュレータ制御回路が昇降圧の切り替え時に位相補償１８、１９を切り替えるのに対し、図４のスイッチングレギュレータ制御回路では任意の入力電圧により位相補償１８、１９を切り替えることができる。したがって、低入力電圧用と高入力電圧用の位相補償定数を設定することにより、従来よりもより広い入出力範囲でスイッチングレギュレータを安定に動作させることができるようになった。
【００１３】
また、図示はしないが、位相補償回路１８、１９は2種類だけではなく3種類以上設けることも可能である。それに応じて選択回路２０の選択機能を変えることで、さまざまな条件に応じた位相補償切り替えが可能となる。例えば、外部にセンス抵抗がある場合にはセンス抵抗に発生する電圧を検出して出力電流に応じて位相補償を切り替えることも可能である。
【実施例３】
【００１４】
図５は本発明の昇降圧スイッチングレギュレータ制御回路及び昇降圧スイッチングレギュレータの他の実施例を示す回路ブロック図である。スイッチングレギュレータ制御回路１の代わりにスイッチングレギュレータ制御回路５１と位相補償回路１８と位相補償回路１９とが設けられている。その他は図２と同様である。スイッチングレギュレータ制御回路５１は図1のスイッチングレギュレータ制御回路から位相補償回路１８と位相補償回路１９を除いた構成となっている。すなわちスイッチングレギュレータ制御回路５１では位相補償回路１８と位相補償回路１９を外部で構成し、アプリケーションに応じて適当な位相補償定数を設定できるようになっている。このように複数の位相補償を外部で設定でき、さらに入出力の条件に応じて位相補償を切り替え選択できるようにしたことで、従来よりもより広い入出力範囲およびより多くのアプリケーションでスイッチングレギュレータを安定に動作させることができるようになった。
【図面の簡単な説明】
【００１５】
【図１】本発明のスイッチングレギュレータ制御回路の実施例を示す回路ブロック図である。
【図２】従来の昇降圧スイッチングレギュレータ制御回路及び昇降圧スイッチングレギュレータを示す回路ブロック図である。
【図３】従来の昇降圧スイッチングレギュレータ制御回路示す回路ブロック図である。
【図４】本発明のスイッチングレギュレータ制御回路の他の実施例を示す回路ブロック図である。
【図５】本発明の昇降圧スイッチングレギュレータ制御回路及び昇降圧スイッチングレギュレータの他の実施例を示す回路ブロック図である。
【符号の説明】
【００１６】
１、５１  昇降圧スイッチングレギュレータ制御回路
２、    降圧用スイッチ
３、    昇圧用スイッチ
５、    負荷
１０、  、基準電圧回路
１１、１２  分割抵抗
１３    誤差増幅回路
１４    発振回路
１５    レベルシフト回路
１６    降圧用比較回路
１７    昇圧用比較回路
１８、１９、３８  位相補償回路
２０    選択回路
２１、４１    電圧検出回路
２２    スイッチ回路
【図１】
2005110468.tif 000003
【図２】
2005110468.tif 000004
【図３】
2005110468.tif 000005
【図４】
2005110468.tif 000006
【図５】
2005110468.tif 000007